(57)【要約】【課題】本発明は、幅広部を備える吸収性物品と個包装シートとの間に剥離シートが介在する吸収性物品の個包装体において、幅広部を起点として、吸収性物品を剥離シートから離脱させやすい、吸収性物品の個包装体を提供する。【解決手段】本発明は、個包装シート１１と、一方の面を個包装シート１１に固着された１以上の剥離シートと、１以上の剥離シートのそれぞれの他方の面に、脱着可能に固着された吸収性物品１と、を備える吸収性物品の個包装体１０であって、吸収性物品１が、長手方向ＤＬの前側又は後側に幅広部２０を有し、幅広部２０の幅方向ＤＷの両端部には、それぞれ、幅方向端部剥離シートが配置され、幅方向端部剥離シートを、個包装シート１１から幅方向ＤＷに向けて剥離する際の剥離強度が、吸収性物品１を、幅方向端部剥離シートから幅方向ＤＷに向けて離脱させる際の剥離強度よりも大きい、吸収性物品の個包装体１０を提供する。【選択図】図３
2020146458.tif 000002
【特許請求の範囲】
【請求項１】
個包装シートと、
第１接着部を介して一方の面を前記個包装シートに固着された１以上の剥離シートと、
第２接着部を介して前記１以上の剥離シートのそれぞれの他方の面に、脱着可能に固着された吸収性物品と、を備える吸収性物品の個包装体であって、
前記個包装体は、展開状態において、長手方向及び幅方向を有し、
前記吸収性物品が、前記長手方向の前側又は後側に幅広部を有し、
前記幅広部の前記幅方向の両端部には、それぞれ、前記１以上の剥離シートを構成する幅方向端部剥離シートが配置され、
前記幅方向端部剥離シートを、前記個包装シートから幅方向に向けて剥離する際の剥離強度が、前記吸収性物品を、前記幅方向端部剥離シートから幅方向に向けて離脱させる際の剥離強度よりも大きい、吸収性物品の個包装体。
【請求項２】
前記幅方向端部剥離シートに接する前記第２接着部の前記幅方向の外縁が、前記幅方向端部剥離シートに接する前記第１接着部の前記幅方向の外縁と同じ位置かそれよりも内側に配置される、請求項１に記載の吸収性物品の個包装体。
【請求項３】
前記吸収性物品が、吸収体と、機能剤を含有する機能層と、を備え、
前記機能層が、前記幅広部に配置され、
前記展開状態において、
前記機能層が、前記吸収体の長手方向の一方側に隣接して配置されている、請求項１又は２に記載の吸収性物品の個包装体。
【請求項４】
前記吸収性物品が、液透過性の表面シートを更に備え、
前記展開状態において、
前記吸収体の長手方向の最大寸法に対する、前記表面シートの長手方向の最大寸法の比が、前記吸収体の幅方向の最大寸法に対する、前記表面シートの幅方向の最大寸法の比と比較して大きい、請求項３に記載の吸収性物品の個包装体。
【請求項５】
前記幅方向端部剥離シートの接する前記第２接着部が複数に分割されて存在し、且つ複数存在する前記第２接着部が、前記長手方向に沿って相互に略平行に配置されている、請求項３又は４に記載の吸収性物品の個包装体。
【請求項６】
前記幅方向端部剥離シートに接する、前記第２接着部の面積の総計が、前記幅方向端部剥離シートの面積に対して、６０％以下である、請求項５に記載の吸収性物品の個包装体。
【請求項７】
前記剥離シートの剛性が、前記個包装シートの剛性に比較して大きい、請求項１から６のいずれか１項に記載の吸収性物品の個包装体。
【請求項８】
前記長手方向の両端部に配置された、前記１以上の剥離シートを構成する長手方向端部剥離シートに接する前記第２接着部の前記長手方向の外縁が、前記長手方向端部剥離シートに接する前記第１接着部の前記長手方向の外縁と同じ位置かそれよりも内側に配置される、請求項１から７のいずれか１項に記載の吸収性物品の個包装体。
【請求項９】
前記吸収性物品が、前記長手方向に沿って延びる１本以上の折り線を有する、請求項１から８のいずれか１項に記載の吸収性物品の個包装体。
【請求項１０】
前記個包装体は、
前記幅方向の一端側に設けられ前記長手方向に沿った長手方向第１折り線を基点に、前記幅方向に折り畳まれた第１幅方向折り畳み部と、
前記幅方向の他端側に設けられ前記長手方向に沿った長手方向第２折り線を基点に、前記幅方向に折り畳まれた第２幅方向折り畳み部と、
前記第１幅方向折り畳み部及び前記第２幅方向折り畳み部が折り畳まれた状態で、前記長手方向の一端側に設けられ前記幅方向に沿った幅方向第１折り線を基点に、前記長手方向に折り畳まれた第１長手方向折り畳み部と、
前記第１幅方向折り畳み部及び前記第２幅方向折り畳み部が折り畳まれた状態で、前記長手方向の他端側に設けられ前記幅方向に沿った幅方向第２折り線を基点に、前記長手方向に折り畳まれた第２長手方向折り畳み部と、
を有し、
前記第１長手方向折り畳み部における前記幅方向第１折り線の側の第１端部とは前記長手方向の反対側に位置する第２端部の表面に一端部を接合され、前記第２長手方向折り畳み部の表面に他端部を接合された粘着テープを備え、
前記第１長手方向折り畳み部は、前記幅方向において、
前記粘着テープの両側に位置する一対の側部と、
前記一対の側部の間に位置し、前記一対の側部の少なくとも一方に接する中間部と、
を含み、
前記一対の側部の各々に配置された補強部材を更に備える、
請求項１から９のいずれか１項に記載の吸収性物品の個包装体。
【発明の詳細な説明】
【技術分野】
【０００１】
本発明は、吸収性物品の個包装体に関する。
【背景技術】
【０００２】
機能剤を有する機能層を備えた吸収性物品と、個包装シートと、を備えた、吸収性物品の個包装体が知られている。例えば、特許文献１には、吸収体と、機能層とを備えた吸収性物品と、吸収性物品の非肌対向面側に固着された個包装シートと、を備える吸収性物品の個包装体が開示されている。
【先行技術文献】
【特許文献】
【０００３】
【特許文献１】実用新案登録第３２１３４９４号公報
【発明の概要】
【発明が解決しようとする課題】
【０００４】
吸収性物品の個包装体において、吸収性物品を個包装シートから脱着可能とするため、吸収性物品と個包装シートの間に剥離シートを介在させることがある。この場合、吸収性物品及び剥離シートの間と、剥離シート及び個包装シートの間とに、ホットメルト接着剤等による接着部を形成する。そして、吸収性物品を、剥離シートから離脱させる場合には、剥離シートが個包装シートから剥離しないように構成しつつ、吸収性物品を剥離シートから離脱させやすく構成する必要もある。
ここで、特許文献１に記載の吸収性物品の個包装体においては、吸収体が設けられている領域よりも、吸収性物品の長手方向の前側又は後側の一方に機能層が設けられている。その機能層が配置されている側の吸収性物品の端部は、他の部位に比較して幅広となっており、この幅広部を個包装シートに固定するために、幅広部の幅方向端部に接着部が設けられている。このため、幅広部の幅方向端部の接着部から、個包装シートを効果的に剥離するために、幅広部の幅方向端部を摘んで吸収性物品を離脱させようとする場合、吸収性物品の幅方向に力がかかるので、幅方向の力に対して、剥離シートを個包装シートから剥離し難く、かつ、吸収性物品を剥離シートから離脱しやすく構成する必要がある。
よって、本発明は、幅広部を備える吸収性物品と個包装シートとの間に剥離シートが介在する吸収性物品の個包装体において、幅広部を起点として、吸収性物品を剥離シートから離脱させやすい、吸収性物品の個包装体を提供する。
【課題を解決するための手段】
【０００５】
本発明の発明者は、上記課題を解決するため、個包装シートと、第１接着部を介して一方の面を上記個包装シートに固着された１以上の剥離シートと、第２接着部を介して上記１以上の剥離シートのそれぞれの他方の面に、脱着可能に固着された吸収性物品と、を備える吸収性物品の個包装体であって、上記個包装体は、展開状態において、長手方向及び幅方向を有し、上記吸収性物品が、上記長手方向の前側又は後側に幅広部を有し、上記幅広部の上記幅方向の両端部には、それぞれ、上記１以上の剥離シートを構成する幅方向端部剥離シートが配置され、上記幅方向端部剥離シートを、上記個包装シートから幅方向に向けて剥離する際の剥離強度が、上記吸収性物品を、上記幅方向端部剥離シートから幅方向に向けて離脱させる際の剥離強度よりも大きい、吸収性物品の個包装体を提供する。
【発明の効果】
【０００６】
本発明によれば、幅広部を長手方向の端部に備える吸収性物品が剥離シートを介して個包装シートと固着された吸収性物品の個包装体において、吸収性物品を、幅広部を起点として、個包装シートから離脱させやすい。
【図面の簡単な説明】
【０００７】
【図１】本発明の実施形態に係る、生理用ナプキン１の個包装体１０を示す斜視図であり、（ａ）は、個包装体１０を肌対向面ＳＦ側から見た斜視図であり、（ｂ）は、個包装体１０を非肌対向面ＳＢ側から見た斜視図である。
【図２】生理用ナプキン１を、展開した状態で表面シート２側から厚さ方向ＤＴに見た平面図である。
【図３】生理用ナプキン１を、展開した状態で裏面シート３側から厚さ方向ＤＴに見た平面図である。
【図４】生理用ナプキン１の、展開した状態での長手方向ＤＬに延びる中央軸線ＣＬに沿った断面の端面図である。
【図５】個包装体１０を形成するための、生理用ナプキン１の折り畳み方法を説明するための斜視図である。
【図６】本発明の実施形態に係る、生理用ナプキン１の個包装体１０を示す斜視図である。
【図７】個包装体１０を示す平面図である。
【図８】個包装体１０の形成方法を示す斜視図である。
【図９】個包装体１０の作用を示す模式図である。
【発明を実施するための形態】
【０００８】
本発明は、以下の態様に関する。
【０００９】
［態様１］
個包装シートと、第１接着部を介して一方の面を上記個包装シートに固着された１以上の剥離シートと、第２接着部を介して上記１以上の剥離シートのそれぞれの他方の面に、脱着可能に固着された吸収性物品と、を備える吸収性物品の個包装体であって、上記個包装体は、展開状態において、長手方向及び幅方向を有し、上記吸収性物品が、上記長手方向の前側又は後側に幅広部を有し、上記幅広部の上記幅方向の両端部には、それぞれ、上記１以上の剥離シートを構成する幅方向端部剥離シートが配置され、上記幅方向端部剥離シートを、上記個包装シートから幅方向に向けて剥離する際の剥離強度が、上記吸収性物品を、上記幅方向端部剥離シートから幅方向に向けて離脱させる際の剥離強度よりも大きい、吸収性物品の個包装体。
【００１０】
本発明の第１の態様によれば、個包装体の展開状態において、幅広部の幅方向の両端部に配置された幅方向端部剥離シートを個包装シートから剥離する際の剥離強度が、吸収性物品を幅方向端部剥離シートから離脱させる際の剥離強度よりも大きい。そのため、吸収性物品の幅広部の幅方向端部を摘んで、個包装シートから、幅方向に吸収性物品を離脱させようとする際に、剥離強度の大きい一方の面側で、個包装シートが剥離シートから剥離し難く、剥離強度の小さい他方の面側で、吸収性物品が剥離シートから離脱しやすいので、吸収性物品を、個包装シートから離脱させる際に、幅方向端部剥離シートから吸収性物品を離脱させやすい。
【００１１】
［態様２］
上記幅方向端部剥離シートに接する上記第２接着部の上記幅方向の外縁が、上記幅方向端部剥離シートに接する上記第１接着部の上記幅方向の外縁と同じ位置かそれよりも内側に配置される、上記第１の態様に記載の吸収性物品の個包装体。
【００１２】
本発明の第２の態様によれば、幅方向端部剥離シートに接する、第２接着部の幅方向の外縁が、この幅方向端部剥離シートに接する第１接着部の幅方向の外縁と同じ位置かそれよりも内側に配置されている。そのため、吸収性物品の幅広部を摘んで、個包装シートから吸収性物品を離脱させようとする際に、個包装シートから、第１接着部を介して幅方向端部剥離シートを引っ張る力が幅方向端部剥離シートに伝わる方が、吸収性物品から、第２接着部を介して幅方向端部剥離シートを引っ張る力よりも先に伝わりやすいので、幅方向端部剥離シートが個包装シート側に引っ張られて、個包装シート側に残りやすくなり、吸収性物品が、幅方向端部剥離シートから離脱しやすい。
【００１３】
［態様３］
上記吸収性物品が、吸収体と、機能剤を含有する機能層と、を備え、上記機能層が、上記幅広部に配置され、上記展開状態において、上記機能層が、上記吸収体の長手方向の一方側に隣接して配置されている、上記第１又は第２態様に記載の吸収性物品の個包装体。
【００１４】
本発明の第３の態様によれば、吸収性物品が、吸収体に加えて、吸収体の長手方向の一方側に隣接して配置された機能層を備え、これが幅広部に配置されているので、幅広部を含む吸収性物品の長手方向の寸法が大きくなりやすい。このような吸収性物品は、幅広部を摘んで吸収性物品を剥離する際に、吸収性物品が幅方向に離脱されやすく、本発明を適用することにより、吸収性物品を個包装シートから離脱させやすくなる。
【００１５】
［態様４］
上記吸収性物品が、液透過性の表面シートを更に備え、上記展開状態において、上記吸収体の長手方向の最大寸法に対する、上記表面シートの長手方向の最大寸法の比が、上記吸収体の幅方向の最大寸法に対する、上記表面シートの幅方向の最大寸法の比と比較して大きい、上記第３の態様に記載の吸収性物品の個包装体。
【００１６】
本発明の第４の態様によれば、吸収性物品が、吸収体の最大寸法に対する、表面シートの最大寸法の長手方向の比（表面シートの長手方向の最大寸法／吸収体の長手方向の最大寸法）が、その幅方向の比（表面シートの幅方向の最大寸法／吸収体の幅方向の最大寸法）と比較して大きいので、表面シートが長手方向により長く延在することになり、吸収性物品の長手方向の寸法が大きい、長手方向により長い形状になりやすい。このような吸収性物品に本発明を適用することにより、吸収性物品を、個包装シートから離脱させやすくなる。
【００１７】
［態様５］
上記幅方向端部剥離シートの接する上記第２接着部が複数に分割されて存在し、且つ複数存在する上記第２接着部が、上記長手方向に沿って相互に略平行に配置されている、上記第３又は第４の態様に記載の吸収性物品の個包装体。
【００１８】
本発明の第５の態様によれば、幅方向端部剥離シートの接する第２接着部が、複数に分割されて存在し、この複数存在する第２接着部が、長手方向に沿って互いに略平行に存在している。本発明の第３又は第４の態様の吸収性物品の個包装体は、展開状態において、通常の吸収性物品の個包装体と比較して、長手方向の寸法が長くなりやすいので、第２接着部が、長手方向に沿って延びるストライプ状に配置されていることにより、個包装シートから、長手方向の寸法の長い吸収性物品を、幅方向に沿って離脱させやすい。
また、吸収性物品を幅方向端部剥離シートから離脱させた後、吸収性物品に塗布されている第２接着部を内側にして、吸収性物品の幅方向端部が折れ曲がって接着してしまったとしても、接着した部分に塗布されている第２接着部における接着剤の塗布量が相対的に小さくなるので、吸収性物品の折れ曲がった接着部分を剥離しやすく、結果として、吸収性物品を剥離シートから離脱させやすい。
【００１９】
［態様６］
上記幅方向端部剥離シートに接する、上記第２接着部の面積の総計が、上記幅方向端部剥離シートの面積に対して、６０％以下である、上記第５の態様に記載の吸収性物品の個包装体。
【００２０】
本発明の第６の態様によれば、幅方向端部剥離シートに接する、第２接着部の面積の総計が、幅方向端部剥離シートの面積に対して、６０％以下であるので、吸収性物品が幅方向端部剥離シートから離脱された後、吸収性物品に塗布されている第２接着部を内側にして、吸収性物品の幅方向端部が折れ曲がって接着してしまったとしても、接着した部分に塗布されている第２接着部の塗布量が相対的に小さくなるので、吸収性物品の折れ曲がった接着部分を剥離しやすく、結果として、吸収性物品を個包装シートから離脱させ易い。
【００２１】
［態様７］
上記剥離シートの剛性が、上記個包装シートの剛性に比較して大きい、上記第１から第６の態様のいずれか１の態様に記載の吸収性物品の個包装体。
【００２２】
本発明の第７の態様によれば、個包装シートの少なくとも一部と、吸収性物品の少なくとも一部とをそれぞれ把持して、各剥離シートから吸収性物品を離脱させる際に、各剥離シートが変形し難いため、吸収性物品が変形しても、各剥離シートがそのような変形に追随し難く、第１接着部の剥離強度が、第２接着部の剥離強度よりも強いことと相俟って、個包装シート側に留まりやすくなるため、個包装シート及び各剥離シートから、吸収性物品を離脱させやすい。
【００２３】
［態様８］
上記長手方向の両端部に配置された、上記１以上の剥離シートを構成する長手方向端部剥離シートに接する上記第２接着部の上記長手方向の外縁が、上記長手方向端部剥離シートに接する上記第１接着部の上記長手方向の外縁と同じ位置かそれよりも内側に配置される、上記第１から第７のいずれか１の態様に記載の吸収性物品の個包装体。
【００２４】
本発明の第８の態様によれば、長手方向の両端部に配置された剥離シートである、長手方向端部剥離シートに接する、第２接着部の長手方向の外縁が、この長手方向端部剥離シートに接する第１接着部の長手方向の外縁と同じ位置かそれよりも内側に配置されるので、長手方向から吸収性物品を個包装シート及び剥離シートから離脱させやすい。
【００２５】
［態様９］
上記吸収性物品が、上記長手方向に沿って延びる１本以上の折り線を有する、上記第１から第８のいずれか１の態様に記載の吸収性物品の個包装体。
【００２６】
本発明の第９の態様によれば、一般には、吸収性物品が、長手方向に沿って延びる１本以上の折り線を有する場合、個包装体の展開状態において、長手方向に沿って延びる折り皺が残りやすくなるので、個包装シートから、吸収性物品を長手方向に離脱させにくい。よって、本発明を適用することで、吸収性物品を個包装シートから離脱させ易くなる。
【００２７】
［態様１０］
上記個包装体は、上記幅方向の一端側に設けられ上記長手方向に沿った長手方向第１折り線を基点に、上記幅方向に折り畳まれた第１幅方向折り畳み部と、上記幅方向の他端側に設けられ上記長手方向に沿った長手方向第２折り線を基点に、上記幅方向に折り畳まれた第２幅方向折り畳み部と、上記第１幅方向折り畳み部及び上記第２幅方向折り畳み部が折り畳まれた状態で、上記長手方向の一端側に設けられ上記幅方向に沿った幅方向第１折り線を基点に、上記長手方向に折り畳まれた第１長手方向折り畳み部と、上記第１幅方向折り畳み部及び上記第２幅方向折り畳み部が折り畳まれた状態で、上記長手方向の他端側に設けられ上記幅方向に沿った幅方向第２折り線を基点に、上記長手方向に折り畳まれた第２長手方向折り畳み部と、を有し、上記第１長手方向折り畳み部における上記幅方向第１折り線の側の第１端部とは上記長手方向の反対側に位置する第２端部の表面に一端部を接合され、上記第２長手方向折り畳み部の表面に他端部を接合された粘着テープを備え、上記第１長手方向折り畳み部は、上記幅方向において、上記粘着テープの両側に位置する一対の側部と、上記一対の側部の間に位置し、上記一対の側部の少なくとも一方に接する中間部と、を含み、上記一対の側部の各々に配置された補強部材を更に備える、上記第１から第９のいずれか１の態様に記載の吸収性物品の個包装体。
【００２８】
使用者が一方の手で個包装体を幅方向に把持することで、個包装体に、その幅方向の両端部から中央部に向かう力が加わる場合がある。その場合、加わった力の大きさが強過ぎるときには、個包装体、したがって第１長手方向折り畳み部及び第２長手方向折り畳み部のいずれも手のひらの形状に沿って、略凹状に変形してしまう状況が生じ得る。そうなると、粘着テープを上手に摘まむことが困難になるおそれがある。そこで、本個包装体では、第１長手方向折り畳み部において、粘着テープの両側に位置する一対の側部の各々に、補強部材を配置している。そのため、第１長手方向折り畳み部に幅方向の両端部から中央部に向かう力が加わったとき、補強部材を含む各側部は変形し難く、補強部材を含まない中間部が変形し易くなる。ただし、中間部は粘着テープで第２長手方向折り畳み部に固定されてやや変形し難いため、一対の側部と中間部との境界付近の部分が主に変形することになる。具体的には、長手方向から見て、第１長手方向折り畳み部のうち、一対の側部と中間部との境界付近の部分が変形することで、中間部を基点として、一対の側部における、個包装体の幅方向の両端部に対応する部分が立ち上がって、略Ｖ字の形状が形成される。このとき、第２長手方向折り畳み部は略凹状に変形するが、その幅方向の外側の部分の立ち上がりは少ない。そのため、第２長手方向折り畳み部と一対の側部の各々との間に隙間が生じる。これらの隙間が生じると、使用者は、自然に、いずれかの隙間に指を挿入して、その側部を摘まんで、第２長手方向折り畳み部から引き離すことで、粘着テープを剥離しようとする。ここで、一対の側部の各々は、補強部材を含むので、その引き離そうとする力を粘着テープに容易に伝達することができる。それにより、使用者は、隙間に指を挿入して、側部を摘まんで、粘着テープを剥離させて、容易に、個包装体を開封することが可能となる。すなわち、吸収性物品の個包装体において、一方の手で把持して、他方の手で開封する際にも、開封し易い個包装体を提供することができる。したがって、本個包装体は、片手でも開封し易く、かつ、開封後に吸収性物品を個包装シートから離脱させ易く、よって使用開始時に極めて取り扱いやすく、素早く装着できるという特徴を有する。
【００２９】
＜第１実施形態＞
以下、本発明の吸収性物品の個包装体（以下、単に「個包装体」とも言う）の第１実施形態について、図面を参照しながら詳細に説明する。なお、本明細書においては、特に断りのない限り、「水平面上に置いた対象物（例えば、個包装体、吸収性物品等）を、垂直方向の上方側から対象物の厚さ方向に見ること」を、単に「平面視」という。
【００３０】
［各種定義］
本明細書において用いられる各種方向等については、特に断りのない限り、以下のとおりである。
本明細書において、「長手方向」は、「平面視における縦長の対象物（例えば、個包装体、展開した状態の吸収性物品、吸収性物品の各種構成部材等）の長さの長い方向」を指し、「幅方向」は、「平面視における縦長の対象物の長さの短い方向」を指し、「厚さ方向」は、「展開した状態で水平面上に置いた対象物に対して垂直方向」を指し、これらの方向は、互いに直交する関係にある。
本明細書において、長手方向又は幅方向の「端部」とは、「平面視における対象物（例えば、個包装体、展開した状態の吸収性物品、吸収性物品の各種構成部材等）の、長手方向又は幅方向における、末端各３３％に収まる部分」をいう。
さらに、本明細書では、「縦長の対象物の幅方向の中央に位置し且つ長手方向に延びる軸線」を「長手方向の中央軸線」といい、「縦長の対象物の長手方向の中央に位置し且つ幅方向に延びる軸線」を「幅方向の中央軸線」という。
また、本明細書では、「吸収性物品の長手方向において、着用者が吸収性物品を着用した際に着用者の腹部に対して相対的に近位側となる長手方向の一方側」を、「吸収性物品の前方側」といい、「吸収性物品の長手方向において、着用者が吸収性物品を着用した際に着用者の腹部に対して相対的に遠位側（すなわち、着用者の背部に対して相対的に近位側）となる他方側」を、「吸収性物品の後方側」という。
そして、本明細書では、特に断りのない限り、展開した状態の吸収性物品の厚さ方向において、「吸収性物品の着用時に、着用者の肌面に対して相対的に近位側に位置する表面」を「肌対向面」といい、「吸収性物品の着用時に、着用者の肌面に対して相対的に遠位側に位置する表面」を「非肌対向面」という。
なお、本明細書において、「使用者」は、吸収性物品を実際に着用する者（すなわち、着用者）のほか、吸収性物品を他者に装着する者（例えば、介護者等）を含む。
【００３１】
［個包装体］
本発明の一実施形態に係る個包装体１０は、個包装シート１１が固着された生理用ナプキン１を、生理用ナプキン１の肌対向面ＳＦが内側となるように長手方向ＤＬ及び幅方向ＤＷの各々において三つ折りに折り畳むことによって形成されており、図１に示すような平坦な略直方体の外形形状を有している。
なお、本実施形態の個包装体１０は、図１（ａ）に示すように、個包装シート１１の外表面において当該個包装シート１１の開封端とその他の部分とに跨って配置された粘着テープ１２によって封止され、折り畳まれた生理用ナプキン１の個包装状態が維持されている。
【００３２】
個包装体１０は、長手方向ＤＬ及び幅方向ＤＷがそれぞれ展開した状態の生理用ナプキン１の長手方向ＤＬ及び幅方向ＤＷに対応するように折り畳まれているが、本発明においては、このような折り畳み形態に限定されない。
【００３３】
以下、本発明の個包装体に用い得る吸収性物品について、上述の生理用ナプキン１を用いて更に詳細に説明する。
【００３４】
［吸収性物品］
図２は、生理用ナプキン１を、展開した状態で表面シート２側から厚さ方向ＤＴに見た平面図であり、図３は、生理用ナプキン１を、展開した状態で裏面シート３側から厚さ方向ＤＴに見た平面図である。図２及び図３に示すように、生理用ナプキン１は、平面視にて、長手方向ＤＬ及び幅方向ＤＷを有する縦長の外形形状を有しており、さらに、幅方向ＤＷの中央軸線ＣＷよりも前方側ＤＦの端部に、生理用ナプキン１の幅方向ＤＷの両端部が、外方に向かって突出することにより、幅方向ＤＷの寸法が周囲（例えば、幅方向ＤＷの中央軸線ＣＷ上）の寸法と比較して幅広となった、幅広部２０が設けられている。また、生理用ナプキン１の後方側ＤＢの所定位置においては、生理用ナプキン１の幅方向ＤＷの一方側端部及び他方側端部の各々が幅方向ＤＷの外方側に向かって略台形状に突出した、一対のフラップ部６、６を有している。そして、本実施形態においては、生理用ナプキンの個包装体１０は、展開状態において、剥離シート接着部１６を介して、一方の面を個包装シート１１に固着された１以上の剥離シートと、固定用接着部を介して、１以上の剥離シートのそれぞれ他方の面に脱着可能に固着された生理用ナプキン１と、を備える。後述するように、生理用ナプキン１は、展開状態において、幅方向ＤＷの中央軸線ＣＷよりも前方側ＤＦの端部に、生理用ナプキン１の幅方向ＤＷの両端部が、外方に向かって突出することにより、幅方向ＤＷの寸法が周囲（例えば、後述する幅方向第１折り線ＬＬ１上）の寸法と比較して幅広となった、幅広部２０が設けられている。本実施形態においては、この幅広部２０の幅方向ＤＷの両端部に設けられる、後述の幅広部剥離シート１３、１３を、個包装シート１１から幅方向ＤＷに向けて剥離する際の剥離強度が、生理用ナプキン１を、幅広部剥離シート１３、１３から幅方向ＤＷに向けて離脱させる際の剥離強度よりも大きい。これにより、展開状態において、生理用ナプキン１の幅広部２０の幅方向端部を摘んで、個包装シート１１から、幅方向ＤＷに生理用ナプキン１を離脱させようとする際に、剥離強度の大きい一方の面側で、個包装シート１１が幅広部剥離シート１３、１３から剥離し難く、剥離強度の小さい他方の面側で、生理用ナプキン１が幅広部剥離シート１３、１３から離脱しやすいので、生理用ナプキン１を、個包装シート１１から離脱させる際に、幅広部剥離シート１３、１３から生理用ナプキン１を剥離させやすい。
【００３５】
なお、本明細書における剥離強度とは、引張試験機「５５４３」（インストロン社製）を、チャック間１０ｍｍから２０ｍｍ、引張速度１００ｍｍ／ｍｉｎ、試験片の幅を製品幅として測定した剥離強度をいう。より具体的には、剥離シートと、個包装シートとの間の剥離強度は、一方のチャックに剥離シートの幅方向端部、他方のチャックに個包装シートの幅方向端部を挟み、吸収性物品と、剥離シートとの間の剥離強度は、一方のチャックに吸収性物品の幅方向端部、他方のチャックに剥離シートの幅方向端部を挟んで測定した剥離強度をいう。
【００３６】
なお、本発明において、吸収性物品の外形形状は、幅方向ＤＷの中央軸線ＣＷよりも前方側ＤＦの端部に、幅広部２０が設けられている形状や、一対のフラップ部６、６を有している形状に限定されるものではなく、幅方向ＤＷの中央軸線ＣＷよりも後方側ＤＢの端部に、幅広部が設けられている形状や、一対のフラップ部６、６を有していない形状であってもよい。例えば、本発明は、前方側ＤＦに幅広部２０が形成されている態様に限定されるものではなく、吸収性物品の後方側ＤＢの端部に、幅広部が追加的に形成されている態様や、吸収性物品の後方側ＤＢの、幅方向ＤＷの端部に、フラップ部が形成され、生理用ナプキン１の吸収領域３０に対応する吸収領域と、フラップ部とが、共に幅広となっている態様（例えば、いわゆる、ヒップフラップを有する夜用の生理用ナプキン等の個包装体）も含む。また、吸収性物品の全体形状も各種用途等に応じた任意の縦長の形状（例えば、長方形、楕円形、砂時計形等）を採用することもできる。
以上の態様においても、第１接着部と第２接着部との位置関係を調整することにより、吸収性物品を、幅広部を起点として、個包装シートから離脱させ易いものに構成できる。
【００３７】
図４は、生理用ナプキン１の、長手方向ＤＬに延びる中央軸線ＣＬに沿った断面の端面図である。上述の生理用ナプキン１は、図４に示すように、厚さ方向ＤＴにおいて、生理用ナプキン１の肌対向面ＳＦを形成する液透過性の表面シート２と；生理用ナプキン１の非肌対向面ＳＢを形成する液不透過性の裏面シート３と；これら両シートの間に位置する吸水性の吸収体４と；生理用ナプキン１の前方側ＤＦに位置する幅広部２０において表面シート２と裏面シート３の間に位置し且つ機能剤として温感剤を含む機能層２１とを、主な構成部材として備えている。
【００３８】
また、生理用ナプキン１は、図２に示すように、幅方向ＤＷの両端部においてそれぞれ長手方向ＤＬに延在する一対のサイドシート５、５を備えている。さらに、図３に示すように、生理用ナプキン１は、裏面シート３の非肌対向面ＳＢにおいて、複数の剥離シートのそれぞれの他方の面に、生理用ナプキン１を脱着可能に固着する、本発明の第２接着部としての固定用接着部を有している。より具体的には、吸収体４と厚さ方向ＤＴに重複し且つ長手方向ＤＬに延びる複数本の帯状の形態で配置された着衣固定用接着部７０と；一対のフラップ部６、６の各々の非肌対向面ＳＢにおいて長手方向ＤＬに延びる複数本の帯状の形態で配置された一対のフラップ部固定用接着部７１、７１と；生理用ナプキン１の前方側ＤＦに位置する幅広部２０において幅方向ＤＷの両端部において、長手方向ＤＬに延びる複数の帯状の形態で配置された一対の前方側接着部７２、７２とを、構成部材として備えている。
【００３９】
さらに、上述の生理用ナプキン１は、図２に示すように、平面視にて、生理用ナプキン１の最も前方側ＤＦに位置する長手方向前方側端部を通るように幅方向ＤＷに延びる前方端仮想線ＬＥ１と、生理用ナプキン１の最も後方側ＤＢに位置する長手方向後方側端部を通るように幅方向ＤＷに延びる後方端仮想線ＬＥ２とを有する。さらに、上述の生理用ナプキン１は、これら前方端仮想線ＬＥ１及び後方端仮想線ＬＥ２の間に、長手方向ＤＬの前方側ＤＦにおいて着用者に温感を与える上記機能層２１を含む幅広部２０と、当該幅広部２０の後方側ＤＢに隣接し、着用者から排出された経血等の液状排泄物を吸収する、吸収体４を含む吸収領域３０とを有している。このように、生理用ナプキン１が、吸収体４に加えて、吸収体４の前方側に隣接して配置された機能層２１を備え、これが幅広部２０に配置されていることにより、幅広部２０を含む生理用ナプキン１の長手方向ＤＬの寸法が大きくなりやすい。このような生理用ナプキン１は、長手方向ＤＬの全長が片手の掌に収まらず、使用者が生理用ナプキン１を個包装シート１１から剥離する際に、幅広部２０を摘んで生理用ナプキン１を剥離し、離脱しがちな傾向にある。よって、幅広部剥離シート１３、１３を、個包装シート１１から幅方向ＤＷに向けて剥離する際の剥離強度と、生理用ナプキン１を、幅広部剥離シート１３、１３から幅方向に向けて離脱させる際の剥離強度を調整することにより、生理用ナプキン１を、幅広部剥離シート１３、１３から剥離しやすく、生理用ナプキン１を個包装シート１１から離脱させやすくなる。
【００４０】
なお、図２及び図４に示すように、機能層２１は、吸収体４の前方側ＤＦに隣接して配置されており、幅広部２０には、吸収領域３０の吸収体４がこれら領域の境界を超えて延在していない。一方、吸収領域３０には、幅広部２０の機能層２１がこれら領域の境界を超えて延在しており、さらに、吸収領域３０における幅広部２０との隣接部分には、相対的に肌対向面側に位置する吸収体４と、相対的に非肌対向面側に位置する機能層２１とが厚さ方向ＤＴに重なる重複部４０を有している。このような形態で吸収体４と機能層２１が部分的に重なっていることにより、重複部４０は、着用者から排出された液状排泄物を吸収する作用を主な作用として備えている。ただし、本発明において、吸収体と機能層は、互いに重なって重複部を形成していなくてもよい。
【００４１】
なお、吸収領域３０は、長手方向ＤＬにおいて吸収領域３０の略中央部に位置するとともに、上記一対のフラップ部６、６と幅方向ＤＷに重複する範囲内に設けられ、生理用ナプキン１の着用時に着用者の排泄口に対向する排泄口対向領域と；当該排泄口対向領域の前方側ＤＦに隣接する前方側吸収領域と；当該排泄口対向領域の後方側ＤＢに隣接する後方側吸収領域との、３つの領域に区分することができる。
【００４２】
そして、上述の生理用ナプキン１は、図２に示すように、平面視にて、生理用ナプキン１を幅方向ＤＷに三つ折りするための、長手方向ＤＬに沿って延びる長手方向第１折り線ＬＷ１（仮想線）及び長手方向第２折り線ＬＷ２（仮想線）と；生理用ナプキン１を長手方向ＤＬに三つ折りするための、幅方向ＤＷに沿って延びる幅方向第１折り線ＬＬ１（仮想線）及び幅方向第２折り線ＬＬ２（仮想線）とを有している。生理用ナプキン１は、固着された個包装シート１１とともに、肌対向面ＳＦが内側となるように、長手方向第１折り線ＬＷ１及び長手方向第２折り線ＬＷ２によって三つ折りに折り畳まれた後、幅方向第１折り線ＬＬ１及び幅方向第２折り線ＬＬ２によって三つ折りに折り畳まれて、上述の個包装体１０を形成している。ここで、一般に、折り線により折り畳まれた吸収性物品の個包装体は、個包装体の展開状態において、長手方向ＤＬに沿って延びる折り皺が残りやすくなる。よって、幅方向ＤＷに向けて個包装シートから吸収性物品を離脱させようとすると、折り皺の部分で折れ曲がりが発生するので個包装シートから、吸収性物品を長手方向ＤＬに離脱させにくい。しかしながら、そのような折り線により折り畳まれる本実施形態の生理用ナプキン１において、幅広部剥離シート１３、１３を、個包装シートから幅方向ＤＷに向けて剥離する際の剥離強度と、吸収性物品を、幅広部剥離シート１３、１３から幅方向ＤＷに向けて離脱させる際の剥離強度を調整することにより、生理用ナプキン１を幅方向ＤＷに向けて離脱させやすくなる。したがって、長手方向第１折り線ＬＷ１長手方向第２折り線ＬＷ２によって三つ折りに折り畳まれるような本実施形態の生理用ナプキン１の個包装体１０においては、幅方向ＤＷに向けて剥離する際の上記の剥離強度調整することによる効果がより得られやすい。
【００４３】
このように構成される生理用ナプキン１は、着用する際に、生理用ナプキン１の非肌対向面ＳＢを、着衣固定用接着部７０、及び一対の前方側接着部７２、７２を介して着用者の着衣（例えば、下着等）の内面に貼り付けた後、一対のフラップ部６、６をそれぞれ着衣の外面側に折り返しつつ一対のフラップ部固定用接着部７１、７１を介して着衣の外面に貼り付けることにより、着用者の着衣に固定される。
なお、本発明では、上記一対のフラップ部を有することは必須の構成要件でないため、吸収性物品の形態等によっては、必ずしもこのようなフラップ部を有さなくてもよい。
【００４４】
以下、本発明の個包装体に用い得る吸収性物品の各種構成部材について、上述の生理用ナプキン１を用いて更に詳細に説明する。
【００４５】
［表面シート］
生理用ナプキン１において、表面シート２は、図２及び図４に示すように、平面視にて、生理用ナプキン１の長手方向の前方側端部から後方側端部にわたって延在するとともに、生理用ナプキン１の幅方向ＤＷの一方側端部から他方側端部にわたって延在する縦長の外形形状を有している。かかる表面シート２は、図４に示すように、生理用ナプキン１の厚さ方向ＤＴにおいて肌対向面側の位置に配置されて、着用者の肌面に当接し得る接触面（すなわち、生理用ナプキン１の肌対向面ＳＦ）を形成する、液透過性のシート状部材によって形成されている。
【００４６】
このような液透過性のシート状部材としては、吸収性物品の表面シートとして用い得る諸特性（例えば、液透過性や肌触り、柔軟性、強度等）を有するものであれば特に制限されず、例えば、エアスルー不織布、スパンレース不織布、スパンボンド不織布、ポイントボンド不織布等の各種不織布や多孔樹脂フィルム等を用いることができる。さらに、シート状部材の構造も特に制限されず、平坦な無孔のシート状構造のほか、例えば、複数の開口部を有する平坦なシート状構造や凹凸構造等の種々のシート状構造を採用できる。
【００４７】
なお、表面シートとして不織布を用いる場合、その構成繊維の種類は、特に制限されず、例えば、セルロース系繊維や親水化処理を施した熱可塑性樹脂繊維（例えば、親水化処理を施したオレフィン系樹脂やポリエステル系樹脂等）等の親水性繊維が挙げられる。これらの繊維は単独で用いても、２種類以上の繊維を併用してもよい。
【００４８】
本発明において、表面シートの外形形状や各種寸法、坪量等は、所望の液透過性や肌触り、柔軟性等に応じた任意の外形形状や各種寸法、坪量等を採用することができる。
【００４９】
［吸収体］
上述の生理用ナプキン１において、吸収体４は、図２に示すように、平面視にて、排泄口対向領域が設けられる、一対のフラップ部６、６が形成されている生理用ナプキン１の領域の略中央部を中心にして、長手方向ＤＬ及び幅方向ＤＷの広範囲に延在するとともに、長手方向ＤＬの両端部がそれぞれ長手方向ＤＬの外方側に向かって円弧を描くように突出した縦長の外形形状を有している。かかる吸収体４は、図４に示すように、生理用ナプキン１の厚さ方向ＤＴにおいて表面シート２と裏面シート３の間に配置されて、表面シート２を透過してきた経血等の液状排泄物を吸収して保持し得る、所定の吸水性及び液保持性を備えた吸水性部材によって形成されている。
【００５０】
このような吸水性部材は、着用者から排出される経血等の液状排泄物を吸収して保持し得るものであれば特に制限されず、当分野において公知の任意の吸水性部材を採用することができる。そのような吸水性部材の例としては、任意の吸水性材料によって構成される少なくとも一つの吸収コアを、ティッシュ等の親水性のコアラップシートで覆ったもの等が挙げられる。ここで、吸収コアを構成する吸水性材料としては、例えば、親水性繊維や高吸収性ポリマー等が挙げられ、更に具体的には、粉砕パルプ、コットン、レーヨン、アセテート等のセルロース系繊維；アクリル酸ナトリウムコポリマー等の高吸収性ポリマーからなる粒状物；及びこれらの混合物等が挙げられる。
【００５１】
なお、生理用ナプキン１は、幅広部２０を有していることにより、吸収体４の長手方向ＤＬの寸法に対して、生理用ナプキン１の長手方向ＤＬの寸法が、相対的に大きくなっている。これにより、吸収体４の長手方向の最大寸法は、生理用ナプキン１の長手方向の最大寸法に対して、相対的に小さくなり、吸収体４の長手方向ＤＬの最大寸法に対する、表面シート２の長手方向ＤＬの最大寸法の比が、吸収体４の幅方向ＤＷの最大寸法に対する、表面シート２の幅方向ＤＷの最大寸法の比と比較して大きくなる。より具体的には、生理用ナプキン１は以下の関係式を満たす。
（表面シート２の長手方向ＤＬの最大寸法／吸収体４の長手方向ＤＬの最大寸法）＞（表面シート２の幅方向ＤＷの最大寸法／吸収体４の幅方向ＤＷの最大寸法）
なお、上記の式における表面シートとは、吸収性物品の着用時に、着用者の排泄口に当接する単一のシートを意味し、吸収体とは、吸収性物品の排泄口当接域と厚さ方向に重畳する、単一の吸収体を意味する。よって、ここでいう表面シート２の寸法には、後述のサイドシート５、５の寸法は含まず、吸収体４の寸法には、機能層２１の寸法は含まない。
上記の関係式を満たす、生理用ナプキン１は、表面シート２が、長手方向ＤＬにより長く延在し、生理用ナプキン１の長手方向ＤＬの寸法が大きくなりやすく、通常の吸収性物品と比較して、長手方向ＤＬに長い縦長の形状となりやすいが、後述するように、このような生理用ナプキン１の個包装体１０において、固定用接着部と剥離シート接着部１６との位置関係を調整することにより、生理用ナプキン１を、個包装シート１１から離脱させやすくなる。ただし、本発明の吸収性物品は、吸収体の長手方向ＤＬの最大寸法に対する、表面シートの長手方向ＤＬの最大寸法の比が、吸収体の幅方向ＤＷの最大寸法に対する、表面シートの幅方向ＤＷの最大寸法の比と比較して大きい吸収性物品に限定されるものではなく、吸収体の長手方向ＤＬの最大寸法に対する、表面シートの長手方向ＤＬの最大寸法の比が、吸収体の幅方向ＤＷの最大寸法に対する、表面シートの幅方向ＤＷの最大寸法の比と比較して、同等であっても、小さくてもよい。
【００５２】
本発明において、吸収体の外形形状や各種寸法、坪量等は、所望の吸収性能や柔軟性、強度等に応じた任意の外形形状や各種寸法、坪量等を採用することができる。
【００５３】
［裏面シート］
上述の生理用ナプキン１において、裏面シート３は、図３及び図４に示すように、平面視にて、生理用ナプキン１の長手方向の前方側端部から後方側端部にわたって延在するとともに、生理用ナプキン１の幅方向ＤＷの一方側端部から他方側端部にわたって延在する縦長の外形形状を有している。かかる裏面シート３は、図４に示すように、生理用ナプキン１の厚さ方向ＤＴにおいて非肌対向面側の位置に配置されて、着用者の肌面に対する非接触面（すなわち、生理用ナプキン１の非肌対向面ＳＢ）を形成する、液不透過性のシート状部材によって形成されている。
【００５４】
このような液不透過性のシート状部材としては、少なくとも着用者から排出される液状排泄物の透過を防止し得る程度の液不透過性を有するものであれば特に制限されず、例えば、熱可塑性樹脂繊維（例えば、ポリエチレンやポリプロピレン等のポリオレフィン系樹脂繊維、ポリエチレンテレフタレート等のポリエステル系樹脂繊維、芯鞘型等の各種複合繊維等）によって形成された疎水性不織布；ポリオレフィン系樹脂等の熱可塑性樹脂によって形成された疎水性樹脂フィルム；該樹脂フィルムに不織布を貼り合わせた積層体；ＳＭＳ不織布等の積層不織布等を用いることができる。さらに、シート状部材の構造も特に制限されず、平坦な無孔のシート状構造のほか、例えば、所定の液不透過性を保持しつつ通気性を確保するための複数の開口部を備えた平坦なシート状構造や凹凸構造等の種々のシート状構造を採用することができる。
【００５５】
本発明において、裏面シートの外形形状や各種寸法、坪量等は、所望の防漏性能や通気性等に応じた任意の外形形状や各種寸法、坪量等を採用することができる。
【００５６】
［サイドシート］
上述の生理用ナプキン１において、一対のサイドシート５、５は、図２に示すように、平面視にて、生理用ナプキン１の幅方向ＤＷの両端部においてそれぞれ長手方向ＤＬに延在する、一対の帯状のシート状部材によって形成されている。かかる一対のサイドシート５、５は、生理用ナプキン１の厚さ方向ＤＴにおいて肌対向面側の位置に配置されて、上記表面シート２とともに生理用ナプキン１の肌対向面ＳＦを形成している。
【００５７】
さらに、一対のサイドシート５、５の各々は、幅方向ＤＷの外方側端部が裏面シート３の肌対向面に接合されて固定端部を形成している一方、幅方向ＤＷの中心側端部が表面シート２等のいずれの構成部材とも接合されておらず、自由端部を形成している。これにより、一対のサイドシート５、５は、生理用ナプキン１の着用時に幅方向ＤＷの中心側端部（自由端部）が起立して、着用者から排出される液状排泄物の漏洩を防止するための防漏壁部を形成することができる。
【００５８】
サイドシートに用いられる帯状のシート状部材としては、吸収性物品のサイドシートとして用い得る諸特性（例えば、液不透過性（防漏性）や肌触り、柔軟性、強度等）を有するものであれば特に制限されず、例えば、上記裏面シートと同様の液不透過性のシート状部材（すなわち、疎水性不織布や疎水性樹脂フィルム等のシート状部材）を帯状に裁断したもの等を用いることができる。
【００５９】
本発明において、サイドシートの外形形状や各種寸法、坪量等は、所望の防漏性や肌触り、柔軟性等に応じた任意の外形形状や各種寸法、坪量等を採用することができる。
【００６０】
なお、本発明において、上記一対のサイドシートを備えることは必須の構成要件でないため、吸収性物品の形態等によっては、必ずしもこのようなサイドシートを有していなくてもよい。
【００６１】
［機能層］
上述の生理用ナプキン１において、機能層２１は、図２に示すように、平面視にて、少なくとも生理用ナプキン１の前方側ＤＦに位置する、幅方向ＤＷの寸法が周囲に比較して大きくなっている幅広部２０において長手方向ＤＬ及び幅方向ＤＷの広範囲にわたって延在する所定の外形形状を有している。かかる機能層２１は、図４に示すように、生理用ナプキン１の厚さ方向ＤＴにおいて表面シート２及び裏面シート３の間に配置されて、着用者に所定の作用（温感作用）をもたらす機能剤としての温感剤を含むシート状部材によって形成されている。
【００６２】
機能層２１を形成するシート状部材は、機能剤としての温感剤と、当該温感剤を保持し得る基材とによって構成されている。なお、本発明において、幅広部は、機能剤を含む機能層が配置されたものに限定されず、機能剤を含まない吸収層が、表面シート及び裏面シートの間に配置されたものであってもよい。
【００６３】
本実施形態において、上記機能剤を保持し得る基材としては、液体状又は固体状の機能剤を保持し得るものであれば特に制限されず、例えば、布帛（例えば、不織布、織布、編布等）や多孔質樹脂シート（例えば、スポンジシート等）等が挙げられる。かかる基材は、機能層用の基材として単独で用いられるものでもよく、他の構成部材（例えば、表面シートや裏面シート、中間シート、コアラップシート等）と兼用されていてもよい。
なお、機能剤自体が所定の保形性等を有していて、機能剤単独で吸収性物品の所定の位置に配置され且つ所定の機能を発揮し得るような場合は、機能層は、基材を有していなくてもよい。
【００６４】
（機能剤）
また、上述の生理用ナプキン１において、機能剤として用いられる温感剤は、それ自体が発熱せずに着用者の皮膚の温熱知覚受容器を刺激して、着用者に温感を知覚させる温感成分と、当該温感成分を溶解させる溶媒成分とを含むものである。なお、上述の生理用ナプキン１においては、温感剤は、平面視にて、機能層２１の略全体に含まれているが、所定の温感機能を発揮し得るのであれば一部分（例えば、中央部のみ等）に含まれていてもよい。
【００６５】
機能剤は、生理用ナプキン１が使用されるまでに揮発したり、他の領域へ移動したりすることを防止するため、水崩壊性の保護材、例えば、マイクロカプセルに保護されていてもよい。マイクロカプセルは、機能剤を内包し、液体（例示：経血、尿、汗）に触れると崩壊し、機能剤を外部に放出させる。放出された機能剤は、着用者の体温等により気化したり、着用者の肌に接触したりすることで、着用者に対して所定の機能を発揮する。
【００６６】
マイクロカプセルの素材としては、例えば、糖類、例えば、単糖類（例示：ブドウ糖）、二糖類（例示：ショ糖）及び多糖類（例示：デキストリン、グルコマンナン、アルギン酸ナトリウム、水溶性でんぷん）、ゼラチン、水溶性ポリマー（例示：ポリビニルアルコール、ポリ酢酸ビニル）等が挙げられる。
【００６７】
マイクロカプセルは市販されており、例えば、Ｓｙｍｒｉｓｅ社から市販される、ＩＮＣＡＰ（商標）等が挙げられる。また、マイクロカプセルは、例えば、水にマイクロカプセルの素材を溶解させて水溶液を形成し、当該水溶液に機能剤及び界面活性剤を混合し、その水溶液をスプレーしながら減圧乾燥することにより製造することができる。
【００６８】
上述の生理用ナプキン１では、機能層２１が表面シート２よりも非肌対向面側に配置されていても、機能層２１の温感剤が、生理用ナプキン１の着用時に表面シート２を透過して着用者の下腹部の肌に接触することができるため、かかる温感剤の温感成分が皮膚の温熱知覚受容器を刺激して、着用者の下腹部に温感を付与することができる。
このようにして着用者の下腹部、すなわち着用者の子宮に近い部分が温められることによって、着用者の生理痛を緩和したり、月経前症候群や冷え性、更年期障害等の症状を軽減したりすることが期待される。
【００６９】
なお、機能層２１を配置する厚さ方向ＤＴの位置は、生理用ナプキン１の着用時に温感剤が着用者の肌に接触し得る位置であれば特に制限されないが、着用者の肌への接触のしやすさの点から、肌対向面ＳＦに近い位置であることが好ましい。
【００７０】
上記温感剤に含まれる温感成分としては、着用者へ安心感を与える観点から、植物由来の化合物であることが好ましく、例えば、カプサイシン類、バニリルアルコールアルキルエーテル誘導体（例えば、バニリルエチルエーテル、バニリルブチルエーテル、バニリルペンチルエーテル、バニリルヘキシルエーテル等）、ショウガエキス、ジンジャーオイル等が挙げられる。これらの化合物の中でも、皮膚への刺激性の点から、バニリルアルコールアルキルエーテル誘導体、ショウガエキス、ジンジャーオイル等を用いることが好ましい。なお、これらの化合物は、単独で用いても２種類以上を併用してもよい。
【００７１】
また、上記温感剤を、塗工等することにより基材に適用する際は、温感成分とともに当該温感成分を溶解ないし分散し得る溶媒成分を用いてもよく、そのような溶媒成分としては、例えば、親油性溶媒や親水性溶媒等が挙げられる。
上記親油性溶媒としては、例えば、天然油（例えば、トリグリセリド等の脂肪酸エステル、ヤシ油、アマニ油等）や炭化水素（例えば、パラフィン等）等の油脂が挙げられる。一方、上記親水性溶媒としては、例えば、水やアルコール等が挙げられ、さらに、アルコールとしては、例えば、低級アルコール（例えば、メタノール、エタノール、エチレングリコール、グリセリン等）、高級アルコール（例えば、カプリルアルコール、ラウリルアルコール等）等が挙げられる。
これらの溶媒の中でも、揮発性を制御しやすいという点で、油脂等の親油性溶媒又はアルコールを用いることが好ましく、さらに、吸収性物品の吸収性能を維持しやすいという点から、油脂等の親油性溶媒を用いることがより好ましい。
なお、このような溶媒は、基材に適用した後に、溶媒が固化又は半固化した状態で適用対象部位に留まっていてもよく、又は溶媒が揮発して溶質のみが残存していてもよい。
【００７２】
また、上記温感剤が溶媒を含む場合における温感成分の濃度は、温感効果の点から、好ましくは０．０００１質量％以上５．０質量％以下であり、より好ましくは０．０００５質量％以上３．０質量％以下であり、更に好ましくは０．１質量％以上１．０質量％以下である。
【００７３】
なお、本発明において、機能剤は、上記温感剤に限定されず、所望の作用に応じた任意の機能剤を採用することができる。そのような機能剤としては、例えば、冷感剤や発熱剤、薬剤（例えば、皮膚収斂剤、抗炎症剤、抗菌剤、ｐＨ調整剤、保湿剤等）等が挙げられる。これらの機能剤は、例えば、平面視にて、機能層の一部の部分に１種類の機能剤（例えば、温感剤）を配置し、他の部分に別の種類の機能剤（例えば、冷感剤）を配置する形態で、併用してもよい。
【００７４】
本発明において、上記機能剤として用い得る冷感剤は、それ自体が吸熱せずに着用者の皮膚の冷感知覚受容器を刺激して、着用者に冷感を知覚させる冷感成分を含むものであり、必要に応じて、当該冷感成分を溶解ないし分散させる溶媒成分を含んでいてもよい。上記冷感成分としては、例えば、メントール（例えば、ｌ−メントール等）；メントール誘導体（例えば、乳酸メンチル、メンチルグリセリルエーテル等）；サリチル酸メチル；ミントやユーカリ等の植物由来の精油等が挙げられる。なお、冷感剤に含まれていてもよい溶媒成分は、上記温感剤に含まれていてもよい溶媒成分と同様のものを用いることができる。
【００７５】
また、上記冷感剤が溶媒を含む場合における冷感剤中の冷感成分の濃度は、冷感効果の点から、好ましくは０．０００１質量％以上５．０質量％以下であり、より好ましくは０．０００５質量％以上３．０質量％以下であり、更に好ましくは０．１質量％以上１．０質量％以下である。
【００７６】
本発明において、上記機能剤として用い得る発熱剤は、それ自体が発熱することで着用者の皮膚を温める作用を有するものである。そのような発熱剤としては、例えば、鉄粉等の金属粉の酸化熱、酸又はアルカリの中和熱、無機塩の水和熱等の化学エネルギーを利用するものが挙げられる。なお、発熱剤は、溶媒成分又は分散媒体に溶解又は分散させて用いてもよい。
【００７７】
本発明において、上記機能剤として用い得る薬剤は、着用者の皮膚に所定の薬理作用をもたらすものであり、例えば、皮膚収斂剤、抗炎症剤、抗菌剤、ｐＨ調整剤、保湿剤等が挙げられる。
上記皮膚収斂剤としては、例えば、酸化亜鉛や硫酸アルミニウム、タンニン酸、油溶性ポリフェノール（例えば、オウバクエキス、オトギリソウエキス、カモミラエキス、シラカバエキス、ビワ葉エキス、ボダイジュエキス、ホップエキス等）等の収斂成分を含むものが挙げられる。
上記抗炎症剤としては、例えば、天然由来の抗炎症成分（例えば、ボタンエキス、オトギリソウエキス、カモミラエキス、ヨモギエキス、シソエキス等）や合成抗炎症成分（例えば、アラントイン、グリチルリチン酸ジカリウム等）等の抗炎症成分を含むものが挙げられる。
上記抗菌剤としては、例えば、天然由来の抗菌成分（例えば、オウバクエキス、オリーブ葉エキス、カモミラエキス、クマザサエキス、サンショウエキス、シソエキス、ドクダミエキス、ホップエキス、ユーカリエキス、ヨモギエキス等）や合成抗菌成分（例えば、エチルヘキシルグリセリン等）等の抗菌成分を含むものが挙げられる。
上記ｐＨ調整剤としては、例えば、リンゴ酸、コハク酸、クエン酸、酒石酸、乳酸等の肌を弱酸性に保つための弱酸性成分を含むものが挙げられる。
上記保湿剤としては、例えば、多価アルコール類（例えば、グリセリン、プロピレングリコール、ブチレングリコール、ソルビット等）、尿素、エモリエント成分（例えば、ワセリン等）等の保湿成分を含むものが挙げられる。
【００７８】
本発明において、機能層における機能剤の含有量（坪量）は、機能剤の種類や機能層の配置位置等に応じた所定の含有量を採用することができる。例えば、機能剤として温感剤又は冷感剤を採用し、かつ、機能層を上述の生理用ナプキン１と同様の形態で配置する場合には、機能剤は、有効成分としての温感成分又は冷感成分の坪量が、好ましくは０．００１ｇ／ｍ２以上１０ｇ／ｍ２以下、より好ましくは０．００３ｇ／ｍ２以上５ｇ／ｍ２以下、更に好ましくは０．０１ｇ／ｍ２以上２．５ｇ／ｍ２以下となるような坪量で、機能層に含有させることができる。
【００７９】
なお、本発明において、機能層の外形形状や各種寸法、坪量等は、機能剤の種類や配置形態等に応じた任意の外形形状や各種寸法、坪量等を採用することができる。また、機能剤の性状は、特に限定されるものではなく、例えば、有効成分を含む溶液状のものであってもよいし、塗布可能な固体状の成分であってもよいし、液状の有効成分からなるものであってもよく、揮発性の成分であってもよい。
【００８０】
また、機能層の着色に用いる着色剤は、特に限定されず、当分野において公知の任意の着色剤（例えば、顔料、染料等）を採用することができる。さらに、この着色剤による着色手段も特に限定されず、機能層は、例えば、着色剤を塗工又は印刷することによって着色してもよいし、着色剤を機能層の構成成分に含有させることによって着色してもよい。
【００８１】
［固定用接着部］
上述のとおり、生理用ナプキン１は、図３に示すように、裏面シート３の非肌対向面ＳＢにおいて、第２接着部としての複数の固定用接着部を有する。より具体的には、吸収体４と厚さ方向ＤＴに重複し且つ長手方向ＤＬに沿って延びる複数本の帯状の形態で配置された着衣固定用接着部７０と；一対のフラップ部６、６の各々の非肌対向面ＳＢにおいて長手方向ＤＬに沿って延びる複数本の帯状の形態で配置された一対のフラップ部固定用接着部７１、７１と；生理用ナプキン１の前方側ＤＦに位置する幅広部２０において幅方向ＤＷの両端部に、長手方向ＤＬに沿って延びる複数の帯状の形態で配置された一対の前方側接着部７２、７２とを有する。これらの固定用接着部は、それぞれ上述の所定の形態で配置された粘着剤によって形成されている。
【００８２】
なお、本実施形態における前方側接着部７２、７２は、本発明における幅方向端部剥離シートが接する第２接着部に該当するが、この前方側接着部７２、７２が、上述のとおり、複数に分割されて存在するとともに、複数存在する上記前方側接着部７２、７２が、長手方向ＤＬに沿って延び、幅方向ＤＷに間隔を空けて相互に略平行に配置されている。これにより、展開状態において、通常の吸収性物品の個包装体と比較して、長手方向ＤＬの寸法が長くなりやすい生理用ナプキン１の個包装体において、個包装シート１１から、長手方向ＤＬの寸法の長い生理用ナプキン１を、幅方向ＤＷに沿って離脱させやすい。また、サイドシート５、５や裏面シート３等の生理用ナプキン１の構成材料は柔軟性が高く、変形しやすい傾向にあるが、生理用ナプキン１を幅広部剥離シート１３、１３から離脱させた後、生理用ナプキン１に塗布されている前方側接着部７２、７２を内側にして、生理用ナプキン１の幅方向端部が長手方向ＤＬに沿って延びる折れ軸で折れ曲がって、折れ曲がった裏面シート３同士で接着してしまったとしても、接着した部分に塗布されている前方側接着部７２、７２における接着剤の塗布量が相対的に小さくなるとともに、接着剤同士が接着する可能性を低減もできる。よって、生理用ナプキン１の折れ曲がった接着部分を剥離しやすく、結果として、生理用ナプキン１を剥離シートから離脱させやすい。
【００８３】
また、本発明における幅方向端部剥離シートに該当する幅広部剥離シート１３、１３に接する、上記前方側接着部７２、７２の面積の総計は、幅広部剥離シート１３、１３の面積に対して、６０％以下となっている。これにより、生理用ナプキン１が幅広部剥離シート１３、１３から離脱された後、生理用ナプキン１に塗布されている前方側接着部７２、７２を内側にして、生理用ナプキン１の幅広部剥離シート１３、１３が長手方向ＤＬに沿って延びる折れ軸で折れ曲がって、折れ曲がった裏面シート３同士で接着してしまったとしても、接着した部分に塗布されている幅広部剥離シート１３、１３の接着剤の塗布量が相対的に小さくなる。よって、生理用ナプキン１の折れ曲がった接着部分を剥離しやすく、結果として、生理用ナプキン１を個包装シート１１から離脱させやすくなる。
【００８４】
このような固定用接着部に用いられる粘着剤としては、当分野において公知の任意の粘着剤を採用することができ、例えば、スチレン−エチレン−ブタジエン−スチレン（ＳＥＢＳ）、スチレン−ブタジエン−スチレン（ＳＢＳ）、スチレン−イソプレン−スチレン（ＳＩＳ）等のスチレン系コポリマーを主体とした感圧型粘着剤等が挙げられる。固定用接着部にこれらの粘着剤を用いることにより、生理用ナプキン１を、着衣や各剥離シート等に脱着可能に固着することができる。
【００８５】
本発明において、第２接着部の配置形態や外形形状、各種寸法等は、着衣への固定のしやすさ等を考慮した任意の配置形態や外形形状、各種寸法等を採用してもよい。
【００８６】
［個包装シート］
図１は、生理用ナプキン１を折り畳んでなる個包装体１０の斜視図であり、（ａ）は、個包装体１０を肌対向面ＳＦ側から見た斜視図であり、（ｂ）は、個包装体１０を非肌対向面ＳＢ側から見た斜視図である。上述の実施形態では、個包装体１０は、図１に示すように、生理用ナプキン１の非肌対向面ＳＢに配置された上記複数の固定用接着部を介して生理用ナプキン１に固着された、個包装シート１１を有している。なお、図３及び図４においては、個包装シート１１を図示していない。
かかる個包装シート１１は、生理用ナプキン１とともに折り畳まれて、折り畳まれた生理用ナプキン１を包むものであり、所定のシート状部材によって形成されている。
【００８７】
個包装シートとして用い得るシート状部材は、特に限定されず、例えば、樹脂製シートや不織布等を用いることができる。中でも、個包装体の気密性の点から、樹脂製シートを用いることが好ましく、さらに、ポリエチレンやポリプロピレン等のポリオレフィン系樹脂からなる樹脂製シートを用いることがより好ましい。かかる樹脂製シートは、単層の構造又は複数層の積層構造を有していてもよく、さらに、エチレンビニルアルコール共重合体（ＥＶＯＨ）樹脂等によって形成されたバリア層を有していてもよい。
【００８８】
本発明において、個包装シートの外形形状や各種寸法、坪量等は、包装のしやすさや気密性等を考慮した任意の外形形状や各種寸法、坪量等を採用することができる。
【００８９】
［剥離シート］
上述の実施形態では、個包装体１０は、図３に示すように、第１接着部である、剥離シート接着部１６を介して、一方の面を個包装シート１１に固着された１以上の剥離シートを備える。より具体的には、生理用ナプキン１は、剥離シートとして、幅広部２０の幅方向ＤＷにおける両端部に配置される、幅広部剥離シート１３、１３；生理用ナプキン１の吸収体４と厚さ方向ＤＴに重畳して配置される、吸収体位置剥離シート１４；及びフラップ部６、６に配置される、フラップ部剥離シート１５、１５を備えている。これらの幅広部剥離シート１３、１３；吸収体位置剥離シート１４；及びフラップ部剥離シート１５、１５の他方の面は、それぞれ、前方側接着部７２、７２；着衣固定用接着部７０；フラップ部固定用接着部７１、７１と脱着可能に固着され、これにより、生理用ナプキン１を剥離シートから脱着可能に固着している。なお、図３に示されるように、本実施形態における幅広部剥離シート１３、１３は、幅広部２０の幅方向ＤＷの両端部に配置されているという意味において、本発明における幅方向端部剥離シートに該当する。また、本実施形態における幅広部剥離シート１３、１３、及び吸収体位置剥離シート１４は、少なくともその一部が、生理用ナプキン１の長手方向ＤＬの両端部に配置されているという意味において、本発明における長手方向端部剥離シートに該当する。
【００９０】
なお、本実施形態において、上記の各剥離シートの剛性は、個包装シート１１の剛性に比較して大きくなっている。これにより、個包装シート１１の少なくとも一部と、生理用ナプキン１の少なくとも一部とをそれぞれ把持して、各剥離シートから生理用ナプキン１を離脱させる際に、各剥離シートが変形し難いため、生理用ナプキン１が変形しても、各剥離シートがそのような変形に追随し難く、剥離シート接着部１６の剥離強度が、固定用接着部の剥離強度よりも強いことと相俟って、個包装シート１１側に留まりやすくなるため、個包装シート１１及び各剥離シートから、生理用ナプキン１を離脱させやすい。
【００９１】
上記の各剥離シートは、本発明における第１接着部としての、剥離シート接着部１６を介して、各剥離シートの一方の面を個包装シート１１に固着されている。ここで、本実施形態においては、幅広部剥離シート１３、１３に接する前方側接着部７２、７２の幅方向ＤＷの外縁は、展開状態において、幅広部剥離シート１３、１３に接する剥離シート接着部１６の幅方向ＤＷの外縁と同じ位置かそれよりも内側に配置されている。これにより、生理用ナプキン１の幅広部２０を摘んで、個包装シート１１から生理用ナプキン１を幅方向に離脱させようとする際に、個包装シート１１から、剥離シート接着部１６を介して幅広部剥離シート１３、１３を引っ張る力が幅広部剥離シート１３、１３に伝わる方が、生理用ナプキン１から、前方側接着部７２、７２を介して幅広部剥離シート１３、１３を引っ張る力よりも先に伝わりやすいので、幅広部剥離シート１３、１３が個包装シート１１側に引っ張られて、個包装シート１１側に残りやすくなるので、生理用ナプキン１が、幅広部剥離シート１３、１３から離脱しやすい。
【００９２】
また、長手方向端部剥離シートに該当する、幅広部剥離シート１３、１３、及び吸収体位置剥離シート１４にそれぞれ接する前方側接着部７２、７２、及び着衣固定用接着部７０の長手方向ＤＬの外縁は、幅広部剥離シート１３、１３、及び吸収体位置剥離シート１４にそれぞれ接する第１接着部としての剥離シート接着部１６の長手方向ＤＬの外縁と同じ位置かそれよりも内側に配置されている。これにより、生理用ナプキン１の長手方向ＤＬの端部を摘んで、長手方向ＤＬに向けて、個包装シート１１から生理用ナプキン１を離脱させようとする際に、個包装シート１１側から幅広部剥離シート１３、１３、及び吸収体位置剥離シート１４を牽引する引張力が、剥離強度のより強い剥離シート接着部１６を介して幅広部剥離シート１３、１３、及び吸収体位置剥離シート１４に伝わりやすく、この引張力が前方側接着部７２、７２、及び着衣固定用接着部７０に対してより作用しやすいので、長手方向ＤＬから、生理用ナプキン１を個包装シート１１及び剥離シートから離脱させやすい。
【００９３】
なお、本発明において、第１接着部と、第２接着部との位置関係は、上記の関係に限定されるものではなく、幅方向端部剥離シートを、個包装シートから幅方向に向けて剥離する際の剥離強度が、吸収性物品を、幅方向端部剥離シートから幅方向に向けて離脱させる際の剥離強度よりも大きくなる範囲で、適宜調整することができる。また、本発明において、剥離シートを、個包装シートから剥離する際の剥離強度が、吸収性物品を、剥離シートから離脱させる際の剥離強度よりも大きいものとするためには、第１接着部に塗布された接着剤、及び第２接着部に塗布された接着剤の種類、塗布量、塗布面積等を適宜変更することにより、第１接着部に塗布された接着剤の接着力を、第２接着部に塗布された接着剤の接着力と比較して、大きくしてもよい。例えば、第１接着部に塗布される接着剤を、第２接着部に塗布される接着剤の接着力と比較して、接着力のより大きな接着剤としてもよいし、第１接着部に塗布される接着剤の塗布量を、第２接着部に塗布される接着剤の塗布量と比較して、より多くしてもよいし、第１接着部に塗布される接着剤の塗布面積を、第２接着部に塗布される接着剤の塗布面積よりも大きくしてもよい。また、第１接着部が塗布される剥離シートの一方の面に離型処理を施さず、第２接着部が塗布される剥離シートの他方の面のみに離型処理を施してもよい。
【００９４】
［粘着テープ］
上述の実施形態では、個包装体１０は、図１（ａ）及び図２に示すように、個包装シート１１の外表面において当該個包装シート１１の端部とその他の部分とに跨って配置された粘着テープ１２を備えている。かかる粘着テープ１２は、生理用ナプキン１とともに折り畳まれた個包装シート１１の開封端を封止して、折り畳まれた生理用ナプキン１の個包装状態を維持するものであり、帯状のテープ部材によって形成されている。
【００９５】
粘着テープ１２として用いられるテープ部材は、当分野において公知の任意のテープ部材を採用することができ、例えば、帯状のテープ基材（例えば、フィルム、不織布、紙等）と、該テープ基材の表面に配置された粘着剤（例えば、ゴム系粘着剤、アクリル系粘着剤等）とによって構成されたもの等が挙げられる。さらに、上記テープ基材として用い得るフィルムや不織布の構成材料は、特に限定されず、例えば、ポリエチレン、ポリプロピレン等のポリオレフィン系樹脂；ポリエチレンテレフタレート等のポリエステル系樹脂；ポリアミド系樹脂；ポリウレタン系樹脂等が挙げられる。かかるテープ基材は、伸縮性を有するものであってもよい。
【００９６】
本発明において、粘着テープの配置形態や外形形状、各種寸法等は、粘着テープとして求められる強度や開封のしやすさ等を考慮した任意の配置形態や外形形状、各種寸法等を採用することができる。
【００９７】
なお、本発明において、このような粘着テープ１２を備えることは必須の構成要件でないため、粘着テープ以外の手段（例えば、熱融着手段等）で個包装状態を維持し得るのであれば、個包装体はこのような粘着テープを備えていなくてもよい。
【００９８】
［個包装体の形成方法］
以下、本発明の個包装体を形成するための、吸収性物品の折り畳み方法（すなわち、個包装体の形成方法）について、図面を参照しながら詳細に説明する。図５は、個包装体１０を形成するための、生理用ナプキン１の折り畳み方法を説明するための斜視図である。
【００９９】
上述の実施形態の個包装体１０は、図５（ａ）に示すような展開した状態の生理用ナプキン１を、図５（ｂ）に示すように、長手方向ＤＬに延びる長手方向第１折り線ＬＷ１及び長手方向第２折り線ＬＷ２の各々において、肌対向面ＳＦが内側となるように幅方向ＤＷに三つ折りに折り畳んだ後、図５（ｃ）及び（ｄ）に示すように、幅方向ＤＷに延びる幅方向第１折り線ＬＬ１及び幅方向第２折り線ＬＬ２の各々において、肌対向面ＳＦが内側となるように長手方向ＤＬに三つ折りに折り畳むことによって形成することができる。
【０１００】
なお、生理用ナプキン１を折り畳むにあたっては、生理用ナプキン１を、非肌対向面ＳＢに固着された個包装シート１１とともに折り畳み、さらに、折り畳んだ後は、個包装シート１１の外表面において当該個包装シート１１の端部に配置された粘着テープ１２によって、折り畳まれた個包装シート１１の開封端を封止して、包装状態を維持する。
【０１０１】
なお、本発明において、個包装体を形成するための吸収性物品の折り畳み方法は、上述の実施形態の態様に限定されず、個包装体のコンパクト性や開封のしやすさ等を考慮した任意の折り畳み方法を採用することができる。
【０１０２】
［個包装体からの吸収性物品の離脱方法］
本実施形態の生理用ナプキン１の個包装体から、生理用ナプキン１を離脱させる方法は、使用者により異なるものであるが、生理用ナプキン１が、幅広部２０を備え、長手方向ＤＬの寸法がより大きいものであるため、例えば、以下のような方法で、個包装体１０から生理用ナプキン１を離脱させることが想定される。
まず、個包装状態の個包装体１０は、長手方向ＤＬ及び幅方向ＤＷにそれぞれ三つ折りにされているが、使用者は、まず、個包装体１０を長手方向ＤＬに展開し、次いで、幅方向ＤＷに展開する。生理用ナプキン１は、前方側ＤＦの端部に幅広部２０を備えているが、使用者は、例えば、幅広部２０の幅方向ＤＷの一方端部を指先で摘み、個包装シート１１の対角線方向に生理用ナプキン１離脱させようとする。この際、幅広部剥離シート１３、１３のうちの一方が対抗する、前方側接着部７２、７２のうちの一方には、幅方向ＤＷに向かう力がかかる。本発明の生理用ナプキン１の個包装体は、そのような場合においても、生理用ナプキン１を、幅広部剥離シート１３、１３から剥離させやすく、個包装シート１１から離脱させやすい。
一方の幅広部剥離シート１３が、生理用ナプキン１から剥離した後には、他方の幅広部剥離シート１３や、吸収体位置剥離シート１４についても、生理用ナプキン１の個包装シート１１の離脱が進むにつれて、剥離することとなる。
【０１０３】
＜第２実施形態＞
以下、本発明の個包装体の第２実施形態について、図面を参照しながら詳細に説明する。本実施形態では、第１実施形態と相違する点について主に説明する。図６〜図８は本実施形態に係る個包装体１０（個包装の状態）の構成例を示す図である。図６は、生理用ナプキン１の個包装体１０（個包装の状態）の構成例を示す斜視図である。図７は、生理用ナプキン１の個包装体１０の構成例を示す平面図である。図８は、実施形態に係る生理用ナプキン１の個包装方法（個包装体１０の形成方法）を示す模式図である。ただし、図６及び図８は、基本的にそれぞれ図１及び図５と同じであるが、個包装体１０内での機能層２１や幅広部剥離シート１３、１３の位置を分かり易く示している点でそれぞれ図１及び図５と相違している。
【０１０４】
ここで、個包装体１０は、幅方向ＤＷにおいて、長手方向第１折り線ＬＷ１及び長手方向第２折り線ＬＷ２により三つの領域に区画されるものとする。すなわち、個包装体１０は、幅方向ＤＷに、長手方向第１折り線ＬＷ１よりも外側（一端側）の第１幅方向折り畳み部Ｂ１と、長手方向第２折り線ＬＷ２よりも外側（他端側）の第２幅方向折り畳み部Ｂ２と、長手方向第１折り線ＬＷ１と長手方向第２折り線ＬＷ２との間の幅方向中央部ＢＣと、に区画されるものとする。なお、それらの部分は、個包装体１０が長手方向第１折り線ＬＷ１及び長手方向第２折り線ＬＷ２で折り畳まれた場合でも、同様に第１幅方向折り畳み部Ｂ１、第２幅方向折り畳み部Ｂ２及び幅方向中央部ＢＣと称すものとする。
更に、個包装体１０は、長手方向ＤＬにおいて、幅方向第１折り線ＬＬ１及び幅方向第２折り線ＬＬ２により三つの領域に区画されるものとする。すなわち、個包装体１０は、長手方向ＤＬに、幅方向第１折り線ＬＬ１よりも外側（一端側）の第１長手方向折り畳み部Ａ１と、幅方向第２折り線ＬＬ２よりも外側（他端側）の第２長手方向折り畳み部Ａ２と、幅方向第１折り線ＬＬ１と幅方向第２折り線ＬＬ２との間の長手方向中央部ＡＣと、に区画されるものとする。なお、それらの部分は、個包装体１０が幅方向第１折り線ＬＬ１及び幅方向第２折り線ＬＬ２で折り畳まれた場合でも、同様に第１長手方向折り畳み部Ａ１、第２長手方向折り畳み部Ａ２及び長手方向中央部ＡＣと称すものとする。
【０１０５】
個包装体１０では、個包装された状態において、図６に示すように、第１長手方向折り畳み部Ａ１が、一対の側部６３、６３と、中間部６１と、を含んでいる。ここで、一対の側部６３、６３は、長手方向第１折り線ＬＷ１と長手方向第２折り線ＬＷ２とで折り畳まれた第１長手方向折り畳み部Ａ１における粘着テープ１２の幅方向ＤＷの両側に位置しており、長手方向ＤＬに延在している。本実施形態では、一方の側部６３は、第１長手方向折り畳み部Ａ１において、粘着テープ１２の幅方向ＤＷの一方の側縁の位置を、側部６３の幅方向ＤＷの一方の端縁として、その端縁よりも幅方向ＤＷの外側の部分である。その側部６３の幅方向ＤＷの他方の端縁の位置は長手方向第１折り線ＬＷ１の位置である。他方の側部６３は、粘着テープ１２の幅方向ＤＷの他方の側縁を、側部６３の幅方向ＤＷの一方の端縁として、その端縁よりも幅方向ＤＷの外側の部分である。その側部６３の幅方向ＤＷの他方の端縁の位置は長手方向第２折り線ＬＷ２の位置である。別の実施形態では、一対の側部６３、６３の各々における幅方向ＤＷの内側の端縁は、粘着テープ１２の幅方向ＤＷの両端縁よりも、内側又は外側のいずれかである。ただし、内側又は外側は、幅方向ＤＷにおいて、例えば、粘着テープ１２の幅方向ＤＷの端縁から粘着テープ１２の幅方向ＤＷの寸法の１／２未満の範囲である。
【０１０６】
中間部６１は、幅方向ＤＷにおいて、一対の側部６３、６３の間に位置しており、長手方向ＤＬに延在している。中間部６１は、幅方向ＤＷにおいて、粘着テープ１２の寸法と同じ寸法を有し、一対の側部６３、６３の両方に接している。別の実施形態では、中間部６１は、幅方向ＤＷにおいて、粘着テープ１２の寸法未満の寸法を有し、一対の側部６３、６３の間に位置し、一対の側部６３、６３の一方に接している。更に、別の実施形態では、中間部６１は、幅方向ＤＷにおいて、粘着テープ１２の寸法未満の寸法を有し、一対の側部６３、６３の間に位置し、一対の側部６３、６３の両方に接していない。
【０１０７】
本実施形態では、一対の側部６３、６３の各々の剛性は、中間部６１の剛性よりも高い。言い換えれば、中間部６１は、一対の側部６３、６３の間の領域のうちの、相対的に剛性が低い領域ということができる。それゆえ、幅方向ＤＷの両外側から個包装体１０（の第１長手方向折り畳み部Ａ１）に力が加わると、各側部６３は変形し難く、中間部６１は変形し易い。したがって、上記の幅方向ＤＷの力を、一対の側部６３、６３を相対的に小さく変形させつつ、中間部６１を相対的に大きく変形させて逃がすことができる。なお、中間部６１は、一対の側部６３、６３の間の領域に相対的に剛性が低い領域として存在すればよいので、幅方向ＤＷの全域に亘って存在する必要はなく、幅方向ＤＷの一部の領域に存在していればよい。
【０１０８】
本実施形態では、一方の側部６３には、第１幅方向折り畳み部Ｂ１及び幅方向中央部ＢＣの幅方向ＤＷの一方側の部分が厚さ方向Ｔに積層され、他方の側部６３には、第２幅方向折り畳み部Ｂ２及び幅方向中央部ＢＣの幅方向ＤＷの他方側の部分が厚さ方向Ｔに積層されている。したがって、図７などに示すように、各側部６３の大部分は、幅広部剥離シート１３と、幅広部剥離シート１３の一方及び他方の面に配置された前方側接着部７２（図示されず）及び剥離シート接着部１６（図示されず）と、２枚分の機能層２１と、２枚分の表面シート２と、２枚分の裏面シート３と、２枚分の個包装シート１１と、が厚さ方向Ｔに積層されている。一方、中間部６１は、幅方向中央部ＢＣ並びに第１幅方向折り畳み部Ｂ１及び第２幅方向折り畳み部Ｂ２の幅方向ＤＷの外側の端縁の近傍部分が厚さ方向Ｔに積層されている。したがって、図７などに示すように、中間部６１の大部分は、機能層２１と、２枚分の表面シート２と、２枚分の裏面シート３と、３枚分の個包装シート１１と、が厚さ方向Ｔに積層されている。ここで、側部６３及び中間部６１における表面シート２、裏面シート３、個包装シート１１の剛性に対する効果を同程度と考えると、各側部６３は、中間部６１と比較して、前方側接着部７２、幅広部剥離シート１３、剥離シート接着部１６、及び機能層２１をより多く含んでいる。よって、各側部６３は、中間部６１よりも多くの層で形成されている。言い換えれば、中間部６１は、一対の側部６３、６３の間の領域における、相対的に少ない層で形成された領域ということができる。それゆえ、幅方向ＤＷの両外側から個包装体１０（の第１長手方向折り畳み部Ａ１）に力が加わったとき、各側部６３は変形し難く、中間部６１は変形し易い。したがって、上記の幅方向ＤＷの力を、一対の側部６３、６３を相対的に小さく変形させつつ、中間部６１を相対的に大きく変形させて逃がすことができる。なお、中間部６１としては、一対の側部６３、６３の間の領域に相対的に少ない層で形成された領域として存在すればよいので、幅方向ＤＷの全域に亘って存在する必要はなく、幅方向ＤＷの一部の領域に存在していればよい。
【０１０９】
次に、本実施形態に係る生理用ナプキン１の個包装体１０の作用を説明する。図９は、個包装体１０の作用を示す模式図である。使用者が一方の手Ｈで個包装体１０を幅方向ＤＷに把持することで、個包装体１０に、その幅方向ＤＷの両端部から中央部に向かう力Ｋが加わる場合がある。その場合、加わった力Ｋの大きさが強過ぎるときには、個包装体１０、したがって第１長手方向折り畳み部Ａ１及び第２長手方向折り畳み部Ａ２のいずれも手のひらの形状に沿って、略凹状に変形してしまう状況が生じ得る。そうなると、粘着テープ１２を上手に摘まむことが困難になるおそれがある。
【０１１０】
そこで、本生理用ナプキン１では、第１長手方向折り畳み部Ａ１において、粘着テープ１２の両側に位置する一対の側部６３、６３の各々の剛性を、一対の側部６３、６３の間に位置する中間部６１の剛性よりも高くしている。したがって、第１長手方向折り畳み部Ａ１に幅方向ＤＷの両端部から中央部に向かう力Ｋが加わったとき、剛性の高い各側部６３を変形し難くすることができ、剛性の低い中間部６１を変形し易くすることができる。あるいは、本生理用ナプキン１では、第１長手方向折り畳み部Ａ１において、一対の側部６３、６３の各々の内部に補強部材（例示：機能層２１、前方側接着部７２、幅広部剥離シート１３、剥離シート接着部１６、及び、他のシート部材の少なくとも一つ）を配置している。したがって、第１長手方向折り畳み部Ａ１に幅方向ＤＷの両端部から中央部に向かう力Ｋが加わったとき、補強部材を含む各側部を変形し難くすることができ、補強部材を含まない中間部が変形し易くすることができる。
【０１１１】
ただし、中間部６１は粘着テープ１２で第２長手方向折り畳み部Ａ２に固定されてやや変形し難い。そのため、第１長手方向折り畳み部Ａ１に幅方向ＤＷの両端部から中央部に向かう力Ｋが加わったとき、一対の側部６３、６３と中間部６１との境界付近の部分が主に変形することになる。具体的には、長手方向ＤＬから見て、第１長手方向折り畳み部Ａ１のうち、一対の側部６３、６３と中間部６１との境界付近の部分が変形することで、中間部６１を基点として、一対の側部６３、６３における、個包装体１０の幅方向ＤＷの両端部に対応する部分が立ち上がる。すなわち、中間部６１を一種の折線（又は基点）として、その両側の側部６３、６３が立ち上がり、略Ｖ字の形状が形成される。このとき、第２長手方向折り畳み部Ａ２は略凹状に変形するが、その幅方向ＤＷの外側の部分の立ち上がりは少ない。そのため、第２長手方向折り畳み部Ａ２と一対の側部６３、６３の各々との間に隙間Ｖが生じる。これらの隙間Ｖが生じると、使用者は、自然に、いずれかの隙間Ｖに指を挿入して、その側部６３を摘まんで、第２長手方向折り畳み部Ａ２から引き離すことで、粘着テープ１２を剥離しようとする。ここで、一対の側部６３、６３の各々は、相対的に剛性が高いので、その引き離そうとする力を粘着テープ１２に容易に伝達することができる。それにより、使用者は、隙間Ｖに指を挿入して、側部６３を摘まんで、粘着テープ１２を剥離させて、容易に、個包装体１０を開封することが可能となる。すなわち、生理用ナプキン１の個包装体１０において、一方の手Ｈで把持して、他方の手で開封する際にも、開封し易い個包装体１０を提供できる。
【０１１２】
ここで、側部６３は相対的に剛性が高い（又は変形し難い）が、側部６３全体が、高剛性である必要はなく、部分的に高剛性であればよい。平面視で、側部６３における剛性の高い（又は変形し難い）領域の面積は、側部６３全体の面積の３０％以上が挙げられ、４０％以上が好ましく、５０％以上がより好ましい、６０％以上が更により好ましい。また、平面視において、側部６３における剛性が高い（又は変形し難い）領域の長手方向ＤＬの寸法は、力Ｋを加える指が配置される範囲を考慮して、側部６３の長手方向ＤＬの寸法の３０％以上が挙げられ、４０％以上が好ましく、５０％以上がより好ましい、６０％以上が更により好ましい。また、平面視において、側部６３における剛性が高い（又は変形し難い）領域の幅方向ＤＷの寸法は、力Ｋに対する抵抗力の観点から、側部６３の幅方向ＤＷの寸法の６０％以上が挙げられ、７０％以上が好ましく、８０％以上がより好ましい、９０％以上が更により好ましい。
【０１１３】
一方、中間部６１は剛性の低い（又は変形し易い）が、一対の側部６３、６３の間の領域全体が、低剛性である必要はなく、部分的に低剛性であればよい。平面視において、一対の側部６３、６３の間の領域における剛性の低い（又は変形し易い）領域の面積は、一対の側部６３、６３の間の領域全体の面積の４０％以上が挙げられ、５０％以上が好ましく、６０％以上がより好ましい、７０％以上が更により好ましい。また、平面視において、一対の側部６３、６３の間の領域における剛性の低い（又は変形し易い）領域の長手方向ＤＬの最大寸法は、中間部６１が一種の折線として機能する観点から、側部６３の長手方向ＤＬの寸法の６０％以上が挙げられ、７０％以上が好ましく、８０％以上がより好ましい、９０％以上が更により好ましい。また、平面視において、一対の側部６３、６３の間の領域における剛性の低い（又は変形し易い）領域の幅方向ＤＷの最大寸法は、中間部６１が一種の折線として機能する観点から、一対の側部６３、６３の間の領域全体の幅方向ＤＷの寸法の１０％以上が挙げられ、２０％以上が好ましく、３０％以上がより好ましい、４０％以上が更により好ましい。
【０１１４】
一対の側部６３、６３の各々の剛性（又は変形し難さ）を相対的に高める方法としては、上記のように、中間部６１が含まない層（例示：少なくとも幅広部剥離シート１３、好ましくは前方側接着部７２、剥離シート接着部１６）又は含んでも数が少ない層（機能層２１）を側部６３に追加することで、側部６３を相対的に多層で形成する方法が挙げられる。このような少なくとも幅広部剥離シート１３、好ましくは機能層２１、前方側接着部７２、剥離シート接着部１６等は、側部６３の剛性を補強する補強部材ということができる。あるいは、剛性を相対的に高める方法としては、上記のように、既に含まれているシート部材等の資材を、側部６３の剛性が高くなるように、側部６３に含まれ、中間部６１に含まれないように配置したり、側部６３に配置された資材の剛性を高めたりする方法があり得る。資材の剛性を高める方法としては、材質の変更や厚さの変更などの方法があり得る。あるいは、剛性を相対的に高める方法としては、上記の剥離シート以外の、相対的に剛性の高いシート部材などの部材を補強部材として、平面視で、側部６３の全体又は一部に挿入する方法があり得る。
【０１１５】
ただし、側部６３と中間部６１との間の剛性（又は変形し難さ）の比較は、以下に説明する押込力の測定結果を比較することにより行うことができる。押込力は、略板状の試料に所定の冶具を厚さ方向に所定距離だけ押し込んだときに要する荷重の大きさとして測定される。押込力が大きいほど変形し難い、よって、剛性が高いといえる。押込力を測定する装置は、試料台と、試料台の上面からの内部へ延びる孔部と、試料台の上面に試料を固定する固定具と、試料台の上方に配置され、孔部へ挿通可能な円柱状の冶具と、冶具に掛かる荷重を測定するデジタルフォースゲージと、を備える。測定方法は、測定対象領域が孔部を覆うように試料を試料台の上面に載置して固定具で固定し、試料の上方から孔部へ向かって冶具を下降させたとき、冶具に掛かる荷重を測定する。その測定方法は、具体的には次のように行う。
【０１１６】
（１）長手方向第１折り線ＬＷ１及び長手方向第２折り線ＬＷ２で折り畳まれた第１長手方向折り畳み部Ａ１を切り出して試料とする。試料の第１長手方向折り畳み部Ａ１を、例えば、２ｍｍ角の矩形を有する複数の測定対象領域で区画しておく。
（２）試料の平面方向（長手方向ＤＬ及び幅方向ＤＷ）と、試料台の上面とが平行になるように、試料を試料台の上面に載置して固定具で固定する。ただし、試料台には、試料台の上面から略垂直に内部へ延びる孔部（直径２０ｍｍ×深さ１０ｍｍ）が形成されている。試料を、一つの測定対象領域の中心が孔部の中心に位置するように、固定する。
（３）試料台をスタンド上にセットする（試料台がスタント上に予めセットされていてもよい）。ただし、スタンドは、鉛直方向の上方に延びる柱状部材を備える。柱状部材には測定子の先端に円柱状の冶具（直径２ｍｍ×長さ１００ｍｍ）が連結されたデジタルフォースゲージ（ＦＧＰ−５：日本電産シンポ株式会社製）が取り付けられている。冶具は、試料台の孔部の鉛直方向の上方に、その先端が試料の測定対象領域に接するように配置される。このとき、冶具は、試料の平面方向に対して垂直に移動して、厚さ方向Ｔに試料を押し込むことが可能になっている。
（４）冶具を、速度３０ｍｍ／ｍｉｎで鉛直方向の下方に移動させて、試料の測定対象領域を厚さ方向Ｔに１ｍｍ押込む。そのときのデジタルフォースゲージが計測した最大荷重（Ｎ）を記録する。
（５）第１長手方向折り畳み部Ａ１において測定対象領域を順次変更して、（１）〜（４）の測定を繰り返し、第１長手方向折り畳み部Ａ１全体を測定する。
（６）異なるＮ個（Ｎは３以上の自然数）のサンプルで、（１）〜（５）の測定を繰り返し、それらの平均値を、押込力として採用する。
【０１１７】
なお、側部と中間部との間の剛性（又は変形し難さ）の比較は、側部及び中間部が含む層の数や種類により行うこともできる。例えば、側部６３は、中間部６１が含まない層（例示：前方側接着部７２、幅広部剥離シート１３、剥離シート接着部１６）及び含んでも数が少ない層（例示：機能層２１）を含んでいる。したがって、側部６３は明らかに中間部６１よりも相対的に剛性が高い（又は変形し難い）ということができる。あるいは、側部６３が、明らかに剛性が高い（又は変形し難い）補強部材を含んでおり、中間部６１が含んでいなければ、側部６３は明らかに中間部６１よりも相対的に剛性が高い（又は変形し難い）ということができる。
【０１１８】
別の実施形態では補強部材（例示：機能層２１、機能層２１、前方側接着部７２、幅広部剥離シート１３、剥離シート接着部１６）の一部は、一対の側部６３、６３の各々から、隣接する中間部６１の幅方向ＤＷの端部まで延出している。すなわち、補強部材が側部６３から、その側部６３に隣接する中間部６１の端縁を越えて中間部６１の内部（ただし、端部の範囲）まで延出している。そのため、側部６３を摘んで第２長手方向折り畳み部Ａ２から引き離そうとする力を加えたとき、その力を粘着テープ１２により確実に伝達することができる。すなわち、使用者は、より容易に、個包装体１０を開封することが可能となる。なお、端部とは全体の両端縁から全体の３０％の範囲をいう。
【０１１９】
本発明の個包装体における吸収性物品は、上述の各実施形態の生理用ナプキンに限定されず、パンティーライナー、失禁パッド、母乳パッド、使い捨ておむつ等の様々な吸収性物品に適用することができる。
また、本発明の個包装体は、上述した各実施形態等に限定されることなく、本発明の目的、趣旨を逸脱しない範囲内において、適宜組み合わせや代替、変更等が可能である。なお、本明細書において、「第１」、「第２」等の序数は、当該序数が付された事項を区別するためのものであり、各事項の順序や優先度、重要度等を意味するものではない。
【符号の説明】
【０１２０】
１    生理用ナプキン（吸収性物品）
２    表面シート
３    裏面シート
４    吸収体
５    サイドシート
６    フラップ部
７    着衣固定用接着部
７１    フラップ部固定用接着部
７２    前方側接着部
１０    個包装体
１１    個包装シート
１２    粘着テープ
１３    幅広部剥離シート
１４    吸収体位置剥離シート
１５    フラップ部剥離シート
１６    剥離シート接着部
２０    幅広部
２１    機能層
３０    吸収領域
４０    重複部
【図１】
2020146458.tif 000003
【図２】
2020146458.tif 000004
【図３】
2020146458.tif 000005
【図４】
2020146458.tif 000006
【図５】
2020146458.tif 000007
【図６】
2020146458.tif 000008
【図７】
2020146458.tif 000009
【図８】
2020146458.tif 000010
【図９】
2020146458.tif 000011